(57)【特許請求の範囲】
【請求項１】
光学レンズにより撮影した撮像情報を光電変換する撮像手段と、
前記撮像手段からの前記撮像情報を動画像情報の形態で第１の記録媒体に記録する第１の記録手段と、
前記撮像手段からの前記撮像情報を静止画情報又は動画像情報の形態でランダムアクセス可能な第２の記録媒体に記録する第２の記録手段と、
前記第１の記録媒体に記録された前記動画像情報を再生する第１の再生手段と、
前記第２の記録媒体に記録された前記静止画情報又は前記動画像情報を再生する第２の再生手段と、
「動画像記録モード」と、「静止画像記録モード」と、「ダブル記録モード」と、「静止画像ダビングモード」とを有し、前記第１，第２の記録手段を選択的に切り換える選択スイッチとを備え、
前記「動画像記録モード」を選択した時には、前記第１の記録手段を動作させて前記撮像情報を前記動画像情報の形態で前記第１の記録媒体に記録し、
前記「静止画像記録モード」を選択した時には、前記第２の記録手段を動作させて前記撮像情報を前記静止画像情報の形態で前記第２の記録媒体に記録し、
前記「ダブル記録モード」を選択した時には、前記第１の記録手段を動作させて前記撮像情報を前記動画像情報の形態で前記第１の記録媒体に記録し、且つ、前記第２の記録手段を動作させて撮影開始時から所定時間分の前記撮像情報を前記動画像情報の形態で前記第２の記録媒体に記録すると共に、撮影継続中は、所定時間間隔で所定時間分の前記撮像情報を前記動画像情報の形態で前記第２の記録媒体に記録し、
前記「静止画像ダビングモード」を選択した時には、前記第１の記録媒体に記録した前記動画像情報を前記第１の再生手段を介して再生し、且つ、再生した前記動画像情中から所望な画像を指定して前記第２の記録手段を介して前記所望の画像を前記静止画像情報の形態で前記第２の記録媒体に記録することを特徴とするビデオカメラ装置。
【請求項２】
前記第２の記録手段は、前記「ダブル記録モード」を選択して前記第２の記録媒体に前記動画像情報を記録する際、又は、前記「静止画像ダビングモード」を選択して前記第２の記録媒体に前記静止画像情報を記録する際、前記第２の記録媒体に記録される前記動画像情報又は前記静止画像情報に対応して前記第１の記録媒体に記録される前記動画像情報の該第１の記録媒体上の記録位置を示す位置情報を付加して記録することを特徴とする請求項１記載のビデオカメラ装置。
【発明の詳細な説明】
【０００１】
【発明の属する技術分野】
本発明は、例えば携帯型のビデオカメラ装置等に設けて好適なビデオカメラ装置に関する。
【０００２】
【従来の技術】
従来、いわゆるＤＶ規格に従って画像情報及び音声情報をデジタル処理することで、高画質化、高音質化及び小型軽量化を図った携帯型のデジタルビデオカメラ装置が知られている。このデジタルビデオカメラ装置には、動画像の記録機能の他に静止画像の記録機能が設けられている。この静止画像の記録の際には、静止画像の記録ボタンが操作されると、このボタン操作のタイミングで撮像された１フレーム分の画像が一旦バッファメモリに記憶される。そして、このバッファメモリに記憶された１フレーム分の画像が繰り返し読み出され、該記録時の音声情報と共に数秒間、ビデオテープ上に記録される。これにより、再生時には、前記数秒分の同一画像が連続して再生されることとなるため、見掛け上は静止画像として再生することができる。
【０００３】
一方、静止画像専用の記録装置としては、従来、フラッシュメモリ等の半導体メモリや、フロッピーディスク等のディスク状磁気記録媒体、或いはミニディスク（ＭＤ）等の光磁気記録媒体を用いたデジタルスチルカメラ装置が知られている。ミニディスクを用いたデジタルスチルカメラ装置では、例えば２０００枚程度の静止画像が記録可能となっており、また、静止画像に記録時の音声情報を付加して記録するようになっている。
【０００４】
このようなデジタルスチルカメラ装置は、記録媒体として半導体メモリやディスク状記録媒体を用いているため、アドレス制御によりいわゆるランダムアクセスが可能となっており、２０００枚もの静止画像を記録した場合でも、所望の静止画像を瞬時に検索して再生することが可能となっている。
【０００５】
【発明が解決しようとする課題】
しかし、従来のデジタルビデオカメラ装置は、記録媒体としてビデオテープを用いているため、記録媒体として前記半導体メモリやディスク状記録媒体を用いたときのようなランダムアクセスを行うことができず、静止画像を記録した場合、その検索に時間を要する問題があった。このため、このような問題を嫌うユーザは、旅行に行く際等に、静止画像用としてデジタルスチルカメラ装置を用意し、動画像用としてデジタルビデオカメラ装置を用意する等のように、用途に応じた２つの画像記録装置を携帯する必要があり、荷物になると共に、経済的負担を強いられる問題があった。
【０００６】
本発明は、上述の課題に鑑みてなされたものであり、動画像及び静止画像の両方を記録することができ、記録した静止画像のランダムアクセスを可能とすることができるようなビデオカメラ装置の提供を目的とする。
【０００７】
【課題を解決するための手段】
まず、請求項１記載の本発明に係るビデオカメラ装置は、上述の課題を解決するために、光学レンズにより撮影した撮像情報を光電変換する撮像手段と、
前記撮像手段からの前記撮像情報を動画像情報の形態で第１の記録媒体に記録する第１の記録手段と、
前記撮像手段からの前記撮像情報を静止画情報又は動画像情報の形態でランダムアクセス可能な第２の記録媒体に記録する第２の記録手段と、
前記第１の記録媒体に記録された前記動画像情報を再生する第１の再生手段と、
前記第２の記録媒体に記録された前記静止画情報又は前記動画像情報を再生する第２の再生手段と、
「動画像記録モード」と、「静止画像記録モード」と、「ダブル記録モード」と、「静止画像ダビングモード」とを有し、前記第１，第２の記録手段を選択的に切り換える選択スイッチとを備え、
前記「動画像記録モード」を選択した時には、前記第１の記録手段を動作させて前記撮像情報を前記動画像情報の形態で前記第１の記録媒体に記録し、
前記「静止画像記録モード」を選択した時には、前記第２の記録手段を動作させて前記撮像情報を前記静止画像情報の形態で前記第２の記録媒体に記録し、
前記「ダブル記録モード」を選択した時には、前記第１の記録手段を動作させて前記撮像情報を前記動画像情報の形態で前記第１の記録媒体に記録し、且つ、前記第２の記録手段を動作させて撮影開始時から所定時間分の前記撮像情報を前記動画像情報の形態で前記第２の記録媒体に記録すると共に、撮影継続中は、所定時間間隔で所定時間分の前記撮像情報を前記動画像情報の形態で前記第２の記録媒体に記録し、
前記「静止画像ダビングモード」を選択した時には、前記第１の記録媒体に記録した前記動画像情報を前記第１の再生手段を介して再生し、且つ、再生した前記動画像情中から所望な画像を指定して前記第２の記録手段を介して前記所望の画像を前記静止画像情報の形態で前記第２の記録媒体に記録することを特徴とするものである。
【０００８】
次に、請求項２記載の本発明に係るビデオカメラ装置は、上述の課題を解決するために、請求項１記載の本発明に係るビデオカメラ装置において、
前記第２の記録手段は、前記「ダブル記録モード」を選択して前記第２の記録媒体に前記動画像情報を記録する際、又は、前記「静止画像ダビングモード」を選択して前記第２の記録媒体に前記静止画像情報を記録する際、前記第２の記録媒体に記録される前記動画像情報又は前記静止画像情報に対応して前記第１の記録媒体に記録される前記動画像情報の該第１の記録媒体上の記録位置を示す位置情報を付加して記録することを特徴とするものである。
【００２３】
【発明の実施の形態】
以下、本発明に係るビデオカメラ装置の好ましい実施の形態について図面を参照しながら詳細に説明する。
【００２４】
〔第１の実施の形態〕
（第１の実施の形態の構成）
まず、本発明に係るビデオカメラ装置は、図１に示すような携帯型のデジタルビデオカメラ装置に適用することができる。この本発明の第１の実施の形態となるデジタルビデオカメラ装置は、ビデオカメラ本体１と、このビデオカメラ本体１に電気的及び機械的に接続可能とされた光ディスク記録再生装置２とで構成されている。
【００２５】
（ビデオカメラ本体１の構成）
ビデオカメラ本体１は、その外観が略長方形の箱形形状を有しており、これを縦長となるように立てて置いた状態において、狭面積の２つの側面部のうち、一方の側面部に電子ビューファインダ３（光学ファインダでもよい。）及び各操作キーが設けられた本体操作パネル４がそれぞれ設けられている。また、前記狭面積の２つの側面部のうち、他方の側面部には、被写体の撮像を行うための光学レンズ５が設けられており、この光学レンズ５を介して取り込んだ撮像光をＣＣＤイメージセンサで受光して電気信号である撮像信号を形成するようになっている。
【００２６】
また、ビデオカメラ本体１には、縦長となるように立てて置いた状態における上面部の光学レンズ５側に、右音声用マイクロホン６Ｒと左音声用マイクロホン６Ｌとからなるマイクロホン６が設けられており、このマイクロホン６により撮像時の外部の音声を集音するようになっている。
【００２７】
本体操作パネル４には、略円形状の選択スイッチ８が設けられており、この選択スイッチ８を回動操作することで、当該ビデオカメラ本体１を電源オフ状態（切）、或いは撮影した映像を再生する再生状態（再生）とすると共に、後に説明する「動画像記録モード（ムービ）」、「静止画像記録モード（スチル）」、「ダブル記録モード（ダブル）」及び「ダビングモード（ダビング）」の各モードの中から所望のモードを選択するようになっている。
【００２８】
また、この選択スイッチ８には、その同軸上に撮影指示スイッチ９が設けられている。選択スイッチ８により前記動画像記録モード、静止画像記録モード或いはダブル記録モードのいずれかのモードを選択し、この撮影指示スイッチ９を１回オン操作すると撮影を開始され、再度撮影指示スイッチ９をオン操作すると撮影が一時停止されるようになっている。そして、再々度撮影指示スイッチ９をオン操作すると一時停止されていた撮影が再開されるようになっている。
【００２９】
また、本体操作パネル４には、ズーム操作部１０が設けられている。このズーム操作部１０は、ビデオカメラ本体１のズームレンズをテレ方向（Ｔ：望遠方向）に操作し、また、ワイド方向（Ｗ：広角方向）に操作するものであり、これを操作することで被写体を拡大して撮影し、また、縮小（広角）で撮影することができるようになっている。
【００３０】
また、本体操作パネル４には、ビデオカメラ本体１と光ディスク記録再生装置２とを接続ケーブルで接続するための接続端子１５と、ビデオカメラ本体１にテープカセットを脱着する際に開閉カバー１７を開閉操作するためのドアロックボタン１６とが設けられている。
【００３１】
テープカセットの装填時には、ドアロックボタン１６を開操作して開閉カバー１７を開成させテープカセットを装填すると、ローディング機構によりテープカセットがその内部のカセットホルダに自動的に引き込まれ収納されるようになっている。また、テープカセットの取り出し時には、ドアロックボタン１６を開操作して開閉カバー１７を開成させると、前記カセットホルダに収納されていたテープカセットがローディング機構により該カセットホルダから押し出されるようになっている。
【００３２】
なお、このテープカセットとしては、例えばＤＶ規格に対応するＤＶミニカセットを適用することができる。このＤＶミニカセットを適用した場合、ＳＤモード（スタンダードプレイモード）で６０分程度、ＬＰモード（ロングプレイモード）で９０分程度の動画の記録が可能となる。ＤＶ規格では、高速検索を実現するためにインデックスＩＤ等のサブコードが規格化されており、このインデックスＩＤを動画像と共に記録することで、ディスク状記録媒体には劣るがそこそこの高速検索が可能となっている。
【００３３】
また、ビデオカメラ本体１には、縦長となるように立てて置いた状態における広面積の２つの側面部のうち、電子ビューファインダ３を覗いた状態で左側に当たる左側面部の上側に液晶表示部７が設けられている。この図１には、液晶表示部７が折り畳まれた状態を示しており、使用時には回動軸７ａを軸として、当該液晶表示部７を外方向へ開くようにして回動させることで、内側の表示部が現れるようになっている。この液晶表示部７及び電子ビューファインダ３には、前記ＣＣＤイメージセンサからの撮像信号が供給されるようになっており、これにより、現在撮像中の被写体を確認することができるようになっている。
【００３４】
また、ビデオカメラ本体１の前記左側面部の下側は、光ディスク記録再生装置２を当該ビデオカメラ本体１に接続するための接続面となっている。この接続面には、光ディスク記録再生装置２との電気的接続を図るための接続端子１８と、光ディスク記録再生装置２との機械的接続を図るための接続孔１９とが設けられており、この接続端子１８及び接続孔１９により両者を一体的に接続するようになっている。
【００３５】
（光ディスク記録再生装置２の構成）
次に、光ディスク記録再生装置２は、例えば直径６４ｍｍの光磁気ディスク２０（いわゆるミニディスク：ＭＤ）に対して磁界変調方式を用いて動画像情報、静止画像情報及び音声情報を記録再生するようになっている。
【００３６】
この光磁気ディスク２０は、ディスク自体をディスクケース２１に収納して構成されており、このディスクケース２１の形態で取り扱われるようになっている。光磁気ディスク２０の記憶容量は、例えば１４０ＭＢ（ＭＤ  ＤＡＴＡ）、６５０ＭＢ（ＭＤ  ＤＡＴＡ２）等となっており、具体的には、１４０ＭＢの記憶容量であった場合は約２０００枚程度の静止画像が、６５０ＭＢの記憶容量であった場合、いわゆるＪＰＥＧ方式（或いはＭＰＥＧ方式）による圧縮符号化処理により２０分程度の動画の記録が可能となっている。
【００３７】
光ディスク記録再生装置２は、この光磁気ディスク２０を開閉蓋を開成して収納し、或いは側面部に設けられた挿入孔を介して収納するようになっている。そして、この収納後に、通常閉状態にある該ディスクケース２１に設けられたシャッタ２２をスライドさせて開状態とし、内部のディスクを部分的に露出させレーザビームを照射すると共に、記録する情報に応じた磁界を印加することで、静止画像情報等を記録するようになっている。なお、再生時には、いわゆるカー効果を利用して、記録トラックに照射したレーザビームの反射光に基づいて記録情報の再生を行うようになっている。
【００３８】
このような光ディスク記録再生装置２は、ビデオカメラ本体１との接続を図った際に、該ビデオカメラ本体１の接続端子１８に相対向する部分に接続端子２３が設けられている。そして、両者の接続を図る際には、光ディスク記録再生装置２の接続端子２３と、ビデオカメラ本体１の接続端子１８を接続することで両者の電気的な接続を図ると共に、この状態でクランプネジ２５によりビデオカメラ本体１に設けられた接続孔１９を介して両者をネジ止めすることにより、両者を一体化することができるようになっている。
【００３９】
また、光ディスク記録再生装置２の操作パネル２６は、図２に示すように両者を接続した際に、ビデオカメラ本体１の本体操作パネル４と同じ面側に位置するように設けられており、ビデオカメラ本体１及び光ディスク記録再生装置２の各操作を同一面上で容易に行うことができるようになっている。
【００４０】
光ディスク記録再生装置２の操作パネル２６には、当該光ディスク記録再生装置２の再生、再生停止、再生一時停止、早送り、早戻し等の操作を行うための操作スイッチ２８と、当該光ディスク記録再生装置２の現在の動作モードや再生している光磁気ディスク２０のタイトル等を表示するための液晶表示部２４と、再生している音声情報のレベルを調整するための音声レベル調整スイッチ２９と、イヤホンや接続ケーブルを接続するための接続端子３０とが設けられている。
【００４１】
（第１の実施の形態の動作）
次に、このような構成を有する当該第１の実施の形態のデジタルビデオカメラ装置の動作説明をする。このデジタルビデオカメラ装置は、前述のように「動画像記録モード（ムービ）」、「静止画像記録モード（スチル）」、「ダブル記録モード（ダブル）」及び「静止画像ダビングモード（ダビング）」の計４通りの記録モード有しており、以下に説明するようにそれぞれ特徴的な記録動作を行うようになっている。ユーザは、選択スイッチ８を回動操作することで、この各記録モードの中から所望の記録モードを選択する。
【００４２】
（動画像記録モード時の動作）
まず、ビデオカメラ本体１側で通常の撮像を行う場合、ユーザは、ビデオカメラ本体１の選択スイッチ８を「ムービ」の位置に回動操作してこの動画像記録モードを選択する。ビデオカメラ本体１の内部構造は、図３のブロック図に示すようになっており、システムコントローラ３５は、この動画像記録モードが選択されると、記録再生系３７を記録一時停止状態に制御すると共に、前記光学レンズ５やＣＣＤイメージセンサを有する撮像部３６により撮像された撮像情報をビデオ／オーディオ信号処理部４０に供給する。ビデオ／オーディオ信号処理部４０は、この撮像情報に例えば画素間引き処理やライン間引き処理等の小画面用の情報処理を施し、これを切り換えスイッチ３２に供給する。切り換えスイッチ３２は、電子ビューファインダ３が使用状態となっている場合は、前記小画面用の情報処理を施した撮像情報を電子ビューファインダ３側に供給し、液晶表示部７が使用状態となっている場合は、前記小画面用の情報処理を施した撮像情報を液晶表示部７側に供給する。これにより、現在撮像中の被写体が電子ビューファインダ３或いは液晶表示部７に表示されることとなる。
【００４３】
次にユーザは、被写体の倍率が所望の倍率となるように図１に示すズーム操作部１０を操作する。システムコントローラ３５は、このズーム操作部１０の操作に応じて撮像部３６の撮像倍率を可変制御する。
【００４４】
ここで、ビデオ／オーディオ信号処理部４０は、撮像部３６からの撮像情報に基づいて前記小画面用の撮像情報を形成する他、該撮像部３６からの撮像情報に対して例えばブロック化処理、シャフリング処理、直交変換処理、量子化処理及び可変長符号化処理等の高能率圧縮符号化処理を施すことで、記録用の撮像情報を形成している。
【００４５】
また、このビデオ／オーディオ信号処理部４０には、マイクロホン６により集音された撮像時における外部の音声情報が増幅器３８（アンプ）を介して供給されている。当該ビデオカメラ装置では、音声情報の記録モードとして例えば「４８ｋモード」、「４４．１ｋモード」、「３２ｋモード」、及び「３２ｋ−４チャンネルモード」が設けられている。ビデオ／オーディオ信号処理部４０は、この各モードの中から予めユーザにより選択された音声情報の記録モードに対応する処理を前記音声情報に施す。
【００４６】
具体的には、「４８ｋモード」、「４４．１ｋモード」、「３２ｋモード」が選択されている場合、ビデオ／オーディオ信号処理部４０は、それぞれ４８ｋＨｚ、４４．１ｋＨｚ、３２ｋＨｚのサンプリング周波数のサンプリングクロックを用いて音声情報をサンプリング処理すると共に１６ビットの直線量子化処理を施して第１チャンネル、第２チャンネルの計２チャンネル分の音声情報を形成する。また、「３２ｋ−４チャンネルモード」が選択されている場合、ビデオ／オーディオ信号処理部４０は、３２ｋＨｚのサンプリング周波数のサンプリングクロックを用いて音声情報をサンプリング処理すると共に所定の非直線量子化処理により第１チャンネル〜第４チャンネルの計４チャンネル分の各１２ビットの音声情報を形成する。
【００４７】
ユーザは、電子ビューファインダ３等に表示される被写体像が所望の倍率となったタイミングで撮影指示スイッチ９をオン操作する。システムコントローラ３５は、撮影指示スイッチ９がオン操作されると、ビデオ／オーディオ信号処理部４０から前記記録用の撮像情報及び音声情報を取り込み、これを記録再生アンプ３９を介して記録再生系３７の回転ヘッド４１に供給する。
【００４８】
記録再生系３７は、当該デジタルビデオカメラ装置が５２５／６０システム対応の場合（ＮＴＳＣ方式対応の場合）、１フレーム分の撮像情報を１０トラックに分割し、これらを回転ヘッド４１によりビデオテープ４２に斜め記録する。また、「４８ｋモード」、「４４．１ｋモード」、「３２ｋモード」における各チャンネルの音声情報は、第１チャンネルの音声情報を前記１０トラックのうち、前半５トラックに分割して記録し、第２チャンネルの音声情報を前記１０トラックのうち、後半５トラックに分割して記録する。また、「３２ｋ−４チャンネルモード」における各チャンネルの音声情報は、第１チャンネル及び第２チャンネルの音声情報を前記１０トラックのうち、前半５トラックに分割して記録し、第３チャンネル及び第４チャンネルの音声情報を前記１０トラックのうち、後半５トラックに分割して記録する。
【００４９】
また、記録再生系３７は、当該デジタルビデオカメラ装置が６２５／５０システム対応の場合（ＰＡＬ方式やＳＥＣＡＭ方式対応の場合）、１フレーム分の撮像情報を１２トラックに分割し、これらを回転ヘッド４１によりビデオテープ４２に斜め記録する。また、「４８ｋモード」、「４４．１ｋモード」、「３２ｋモード」における各チャンネルの音声情報は、第１チャンネルの音声情報を前記１２トラックのうち、前半６トラックに分割して記録し、第２チャンネルの音声情報を前記１２トラックのうち、後半６トラックに分割して記録する。また、「３２ｋ−４チャンネルモード」における各チャンネルの音声情報は、第１チャンネル及び第２チャンネルの音声情報を前記１２トラックのうち、前半６トラックに分割して記録し、第３チャンネル及び第４チャンネルの音声情報を前記１２トラックのうち、後半６トラックに分割して記録する。
【００５０】
これにより、所望の被写体の撮像情報及び撮像時における周囲の音声情報をビデオテープ４２に記録することができる。
【００５１】
なお、記録再生系３７は、ビデオテープ４２に対して各情報の記録を行うものであることとしたが、これは、ビデオカメラ本体１の記録媒体としてビデオテープ４２が設けられている場合の例である。従って、ビデオカメラ本体１の記録媒体として例えば光磁気ディスク（例えばＭＤやＤＶＤ）等のリライタブルな光ディスクが設けられている場合には、この記録再生系３７は、光学ヘッドと磁気ヘッド等とからなる光磁気ヘッドに置き換わり、また、ビデオカメラ本体１の記録媒体として例えばフロッピーディスク（ＦＤ）等の磁気ディスクが設けられている場合には、この記録再生系３７は、磁気ヘッドに置き換わるものと理解されたい。
【００５２】
（静止画像記録モード時の動作）
次に、当該デジタルビデオカメラ装置で静止画像の撮像を行う場合、ユーザは、ビデオカメラ本体１の選択スイッチ８を「スチル」の位置に回動操作してこの静止画像記録モードを選択する。図４は、図３に示した当該デジタルビデオカメラ装置の内部構成のうち、記録系を詳しく示したブロック図である。この図４において、システムコントローラ３５は、静止画像記録モードが選択されると、記録再生系３７を記録一時停止状態に制御する。これにより、上述のように電子ビューファインダ３或いは液晶表示部７に現在撮像中の被写体像が表示されることとなる。
【００５３】
また、システムコントローラ３５は、これと共に、ビデオカメラ本体１側に設けられた電源部４３からの電源を、接続端子１８、２３を介して光ディスク記録再生装置２側に供給し、該光ディスク記録再生装置２を動作可能状態に制御する。
【００５４】
当該実施の形態のデジタルビデオカメラ装置では、光ディスク記録再生装置２の駆動電源を、ビデオカメラ本体１側に設けられた電源部４３から取得するようになっている。このため、光ディスク記録再生装置２を駆動するには、ビデオカメラ本体１との接続が必要となるが、電源部を不要とすることができる分、小型軽量化を図ることが可能となる。なお、光ディスク記録再生装置２側に、別個、電源部を設けて該光ディスク記録再生装置２を駆動するようにしてもよい。この場合、光ディスク記録再生装置２を、ビデオカメラ本体１とは独立して駆動可能とすることができることは勿論である。
【００５５】
次に、ユーザは、前記静止画像記録モードの選択後に、所望のタイミングで前記撮影指示スイッチ９をオン操作する。システムコントローラ３５は、この静止画像記録モード時に撮影指示スイッチ９がオン操作されると、該撮影指示スイッチ９がオン操作される直前に撮像していた撮像画像、及び所定時間分の音声を一旦記憶し、これらを読み出して光ディスク記録再生装置２側に供給する。
【００５６】
具体的には、図４に示す撮像部３６は、ＣＣＤイメージセンサ７０により光学レンズ５を介して照射される光学被写体像を取り込み、この光学被写体像に応じた電気的な撮像信号を形成する。そして、ＣＣＤドライバ７１による読み出し制御のタイミングでこの撮像信号をＡ／Ｄ変換器７２に供給し、デジタル化することで撮像データとし、これをビデオ／オーディオ信号処理部４０内の映像処理部７３に供給する。
【００５７】
上述の「動画像記録モード」の場合には、この映像処理部７３は、撮像データに上述の圧縮符号化処理を施すと共に誤り訂正符号を付加し、これをデータ変調器７５及び記録アンプ３９ａを介して記録再生系３７に供給するのであるが、この「静止画像記録モード」の場合には、圧縮符号化処理等を施した撮像データをバッファメモリ７４に供給する。バッファメモリ７４は、例えばフィールドメモリで構成されており、映像処理部７３から供給される１フィールド分の撮像データを一旦記憶する。これにより、バッファメモリ７４には、ユーザが、撮影指示スイッチ９をオン操作したタイミングで撮像された１フィールド分の撮像データである静止画像データが記憶されることとなる。
【００５８】
一方、マイクロホン６により集音された音声は、ビデオ／オーディオ信号処理部４０内のＡ／Ｄ変換器７６によりデジタル化され音声データとして音声処理部７７に供給される。上述の「動画像記録モード」の場合には、この音声処理部７７は、この音声データに上述の圧縮符号化処理を施すと共に誤り訂正符号を付加し、これをデータ変調器７５及び記録アンプ３９ａを介して記録再生系３７に供給するのであるが、この「静止画像記録モード」の場合には、圧縮符号化処理等を施した音声データをバッファメモリ７８に供給する。バッファメモリ７８は、例えば１０秒分程度の音声データを一旦記憶する。これにより、バッファメモリ７８には、ユーザが、撮影指示スイッチ９をオン操作したタイミングで集音された１０秒分程度の音声データが記憶されることとなる。
【００５９】
次に、このようにして各バッファメモリ７４、７８に静止画像データ及び音声データが記憶されると、システムコントローラ３５は、該各バッファメモリ７４、７８から静止画像データ及び音声データを読み出し、これを接続端子１８、２３を介して光ディスク記録再生装置２側のデータ変調器８１に供給すると共に、光ディスク記録再生装置２側のシステムコントローラ８０に、該各データの記録を指定する記録コマンドを供給する。
【００６０】
光ディスク記録再生装置２は、前記各データが供給されると、データ変調器８１により該データに対して所定のデータ変調処理を施すと共に、これらを記録アンプ８２を介して記録再生系８３に供給する。システムコントローラ８０は、ビデオカメラ本体１のシステムコントローラ３５から供給された記録コマンドに対応して記録アンプ８２から供給された各データを記録するように記録再生系８３を制御する。
【００６１】
記録再生系８３は、主に、光磁気ディスク２０を例えば角速度一定（或いは線速度一定）で回転駆動するスピンドルモータ８４と、この回転駆動される光磁気ディスク２０にレーザビームを照射する光学ヘッド８５と、光磁気ディスク２０上のレーザビームの照射箇所に、前記各データに応じた磁界を印加する磁気ヘッド８６とで構成されている。そして、この記録時には、光学ヘッド８５から光磁気ディスク２０に対して記録用強度のレーザビームを照射して、該照射箇所の温度をいわゆるキュリー温度まで上昇させる。磁気ヘッド８６は、このキュリー温度まで熱っせられたレーザビームの照射箇所に前記各データに応じた磁界を印加する（磁界変調方式）。これにより、光磁気ディスク２０上の前記レーザビームの照射箇所が、印加された磁界に応じて磁化され、前記静止画像データ及びこの静止画像の撮影時における１０秒分の音声データが記録されることとなる。また、記録再生系８３は、この各データの記録と共に、該各データを記録したアドレスを示すアドレス情報を、ディスク最内周に位置するユーザＴＯＣ領域に記録する。そして、再生時には、このユーザＴＯＣ領域に記録されたアドレス情報に基づいて、指定された静止画像（及び音声）の再生を行う。
【００６２】
このように、当該実施の形態のデジタルビデオカメラ装置は、「静止画像記録モード」が選択されると、撮像された静止画像及び対応する音声を、ビデオカメラ本体１に接続された光ディスク記録再生装置２側で記録する。これにより、ビデオカメラ本体１は動画記録用として用い、光ディスク記録再生装置２は静止画像用として用いることができ、当該デジタルビデオカメラ装置１台で動画像及び静止画像の両方を記録可能とすることができる。このため、例えばユーザが旅行に行く際に、静止画像用としてデジタルスチルカメラ装置を用意し、動画像用としてデジタルビデオカメラ装置を用意する等のように、用途に応じた２つの画像記録装置を携帯する不都合を防止することができ、経済的負担を軽減することができると共に、旅行に携帯する荷物を減らすことができる。
【００６３】
また、静止画像は、光ディスク記録再生装置２により光磁気ディスク２０に記録するようにしているため、数１０枚〜２０００枚にも及ぶ多くの静止画像を記録した場合でも、前記このユーザＴＯＣ領域に記録されたアドレス情報に基づいて、指定された静止画像（及び音声）を瞬時に検索して再生可能とすることができる。
【００６４】
近年は、パーソナルコンピュータ装置が普及しており、このパーソナルコンピュータ装置上で静止画像を取り扱うことも多いのであるが、当該デジタルビデオカメラ装置を用いることにより、光ディスク記録再生装置２で記録された所望の静止画像をパーソナルコンピュータ装置上で簡単に取り扱い可能とすることができる。
【００６５】
（ダブル記録モード時の動作）
次に、ビデオカメラ本体１におけるビデオテープ４２への動画記録は長手記録となるため、所望の画像を検索するのに時間を要する。このため、当該デジタルビデオカメラ装置には、記録操作から所定時間分の動画像等を光ディスク記録再生装置２側で記録しておくことで、光ディスク記録再生装置２側で記録された動画像を、ビデオカメラ本体１側でビデオテープ４２に記録された動画像の、言わばインデックス代わりとする「ダブル記録モード」と呼ぶ記録モードが設けられている。
【００６６】
（記録動作）
この「ダブル記録モード」での撮像を行う場合、ユーザは、ビデオカメラ本体１の選択スイッチ８を「ダブル」の位置に回動操作してこのダブル記録モードを選択する。そして、所望のタイミングで前記撮影指示スイッチ９をオン操作する。このダブル記録モードが選択されると、図４に示すビデオカメラ本体１側のシステムコントローラ３５は、撮影指示スイッチ９がオン操作されたタイミングで記録を開始するように記録再生系３７を制御する。また、撮影指示スイッチ９が再度オン操作された場合は、記録を一時停止するように記録再生系３７を制御する。これにより、上述の「動画像記録モード」時と同様に、撮影指示スイッチ９の操作に応じて被写体像の記録が行われることとなる。
【００６７】
ここで、システムコントローラ３５は、撮影指示スイッチ９がオン操作されると、ビデオカメラ本体１側に設けられているタイマ８８をリセットしここから撮影時間のカウントを開始する。そして、例えば撮影開始から３０秒分の撮像データ及び音声データを光ディスク記録再生装置２側にも供給するように映像処理部７３及び音声処理部７７を制御する。
【００６８】
なお、撮影開始から３０秒以内に、再度撮影指示スイッチ９がオン操作された場合、この再度撮影指示スイッチ９がオン操作されるまでの間の前記各データを光ディスク記録再生装置２側にも供給するように映像処理部７３及び音声処理部７７を制御すると共に、再度撮影指示スイッチ９がオン操作され記録再生系３７を一時停止制御した時点で前記タイマ８８をリセットする。そして、再々度撮影指示スイッチ９がオン操作されたタイミングで前述の撮影時間のカウントを再開する。
【００６９】
また、撮影時間が、撮影開始から例えば５分以上となった場合（撮影指示スイッチ９が最初にオン操作されてから次に撮影指示スイッチ９がオン操作されるまでに５分以上経過した場合）は、この５分経過から３０秒分の各データを光ディスク記録再生装置２側にも供給するように映像処理部７３及び音声処理部７７を制御する。
【００７０】
すなわち、光ディスク記録再生装置２側には、記録開始から３０秒分の各データが供給され、以後５分の記録時間が経過する毎に３０秒分の各データが供給されることとなる。そして、システムコントローラ３５は、このように各データを光ディスク記録再生装置２側に供給すると共に、この各データのビデオテープ４２上の記録位置を示すインデックスＩＤを光ディスク記録再生装置２側に供給する。
【００７１】
具体的には、理解容易とするために例えば図５に示すように５分単位のデータ１〜データＮ（ＤＡＴＡ  １〜ＤＥＴＡ  Ｎ：各データは前記撮像データ及び音声データを示す。）がビデオカメラ本体１側のビデオテープ４２に記録されたとすると、光ディスク記録再生装置２側には、各データ１〜Ｎの先頭から３０秒分のデータが供給されることとなる。光ディスク記録再生装置２は、この各データ１〜Ｎの先頭から３０秒分の各データを、図５に示すように光磁気ディスク２０の内周側から外周側にかけて順に記録する。そして、この各データの記録アドレスを図５中斜線で示すディスク最内周のユーザＴＯＣ領域に記録すると共に、各データの前記ビデオテープ４２上の記録位置を示すインデックスＩＤをリードイン領域に記録する。これにより、ビデオカメラ本体１で記録された一纏まり毎の各データの先頭部分のみを光ディスク記録再生装置２側で言わばインデックス（以下、インデックスデータと呼ぶ。）として記録することができる。
【００７２】
なお、ビデオテープ４２に対する各データの記録をＬＰモードで行った場合、９０分の記録が可能であるため、光磁気ディスク２０の容量としては、（９０分÷５分）×３０秒＝９分の容量があればよい。
【００７３】
（検索動作）
次に、このように光磁気ディスク２０にインデックスデータが記録されると、ビデオカメラ本体１側でビデオテープ４２に記録された所望の画像の検索が可能となる。
【００７４】
すなわち、この所望の画像の検索を行う場合、ユーザは、図１に示す光ディスク記録再生装置２の操作パネル２６に設けられている再生キーをオン操作する。図３に示す光ディスク記録再生装置２側のシステムコントローラ８０は、再生キーがオン操作されると、光磁気ディスク２０に記録されているインデックスデータを順に再生制御し、これらを接続端子２３、１８を介してビデオカメラ本体１側に供給する。ビデオカメラ本体１側のビデオ／オーディオ信号処理部４０は、光ディスク記録再生装置２により再生されたインデックスデータが供給されると、これに記録時の圧縮符号化処理に対応する伸張復号化処理を施し、電子ビューファインダ３、液晶表示部７、或いはビデオ出力端子８９にモニタ装置が接続されている場合はこのモニタ装置に該伸張復号化処理を施したインデックスデータを供給する。これにより、電子ビューファインダ３、液晶表示部７、或いは前記モニタ装置に、３０秒ずつのインデックス動画像が表示されることとなる。
【００７５】
なお、光ディスク記録再生装置２は、操作パネル２６に設けられているスキップキーがオン操作されると、このオン操作毎に光磁気ディスク２０に記録されているインデックスデータを順次スキップしながら再生する。各インデックスデータは、光磁気ディスク２０に記録されているため、このようなランダムアクセスも高速で行うことができる。ユーザは、このように再生されるインデックス動画像を見ながら所望の動画像を検索することとなる。
【００７６】
次に、ユーザは、このように連続的に再生されるインデックス動画像により所望の動画像を検索した後に、図１に示すビデオカメラ本体１の選択スイッチ８を「再生」の位置に回動操作してビデオテープ４２に記録された撮影画像の再生を指定する再生モードを選択する。
【００７７】
図３に示すシステムコントローラ３５は、この再生モードが選択されると、現在、光磁気ディスク２０から再生されているインデックス画像を先頭から新たに再生するように光ディスク記録再生装置２を制御すると共に、この再生されたインデックス画像を前記液晶表示部７等に表示制御する。これにより、ユーザに対しては、所望の撮影画像が即座に再生されたものとして見せることができる。
【００７８】
次に、前述のようにインデックス画像は、それぞれ３０秒分が光磁気ディスク２０に記録されている。このため、システムコントローラ３５は、この光磁気ディスク２０から３０秒分のインデックス画像が再生されている間を利用して、ビデオテープ４２に記録されている撮像画像の検索を行う。
【００７９】
具体的には、各インデックス画像は、ビデオテープ４２上の記録位置を示すインデックスＩＤが付加されて光磁気ディスク２０に記録されている。そして、各インデックス画像の再生時には、このインデックスＩＤも再生される。このため、システムコントローラ３５は、前記３０秒分のインデックス画像が再生されている間に、このインデックスＩＤを取り込み、ビデオテープ４２上に記録されている、現在再生中のインデックス画像に対応する撮像画像を検索する。そして、インデックス画像の再生終了後に、このインデックス画像に続く撮像画像をビデオテープ４２から再生して液晶表示部７等に供給するように記録再生系３７を再生制御する。
【００８０】
すなわち、ユーザにより選択された撮像画像は、最初の３０秒間は、光磁気ディスク２０から再生され、この間にビデオテープ４２上から検索され、該３０秒経過後は、ビデオテープ４２上から再生されることとなる。これにより、撮像画像をビデオテープ４２に記録したにも拘わらず、あたかも光ディスクに記録したような高速検索を可能とすることができる。そして、この動作は、液晶表示部７等に表示された撮像画像を見ているユーザには、気付かれないうちに行われることとなる。
【００８１】
（静止画像ダビングモード時の動作）
次に、当該デジタルビデオカメラ装置では、ビデオテープ４２に記録された撮像画像のうち、所望の撮像画像を静止画像として光磁気ディスク２０に記録可能となっている。
【００８２】
このビデオテープ４２に記録された撮像画像のうち、所望の撮像画像を静止画像として光磁気ディスク２０に記録する場合には、ユーザは、ビデオカメラ本体１の選択スイッチ８を「ダビング」の位置に回動操作してこの静止画像ダビングモードを選択する。
【００８３】
図６は、図３に示した当該デジタルビデオカメラ装置の内部構成のうち、再生系を詳しく示したブロック図なのであるが、この図６において、システムコントローラ３５は、静止画像ダビングモードが選択されると、記録再生系３７を再生状態に制御する。これにより、ビデオテープ４２に記録された撮像画像の撮像データ及び音声データが再生されることとなる。この再生された撮像データ及び音声データは、データ復調器９１により復調される。そして、撮像データは、ビデオ／オーディオ信号処理部４０内の映像処理部７３に、音声データは、ビデオ／オーディオ信号処理部４０内の音声処理部７７にそれぞれ供給される。
【００８４】
映像処理部７３は、撮像データに対して、記録時の圧縮符号化処理に対応する伸張復号化処理を施すと共に誤り訂正処理を施し、これをＤ／Ａ変換器９２を介してアナログ化し、電子ビューファインダ３、液晶表示部７或いは前記ビデオ出力端子８９にモニタ装置が接続されている場合は、このモニタ装置に供給する。また、音声処理部７７は、音声データに対して、記録時の圧縮符号化処理に対応する伸張復号化処理を施すと共に誤り訂正処理を施し、これをＤ／Ａ変換器９３を介してアナログ化し、前記ビデオ出力端子８９にモニタ装置が接続されている場合は、このモニタ装置に供給する。これにより、前記液晶表示部７等に、ビデオテープ４２から再生された撮像画像が表示されることとなる。
【００８５】
次に、ユーザは、この液晶表示部７等に再生される撮像画像を見ながら所望の画像を検索する。そして、所望の画像が表示された際に、撮影指示スイッチ９をオン操作する。この静止画像ダビングモード時に、撮影指示スイッチ９がオン操作されると、システムコントローラ３５は、このオン操作のタイミングで、伸張復号化処理前の、データ復調器９１からの１フィールド分の撮像データ及びこれに対応する例えば１０秒分の音声データを光ディスク記録再生装置２側に供給する。システムコントローラ３５は、この光ディスク記録再生装置２側への撮像データ及び音声データの供給を、前記撮影指示スイッチ９がオン操作される毎に行う。
【００８６】
光ディスク記録再生装置２は、１フィールド分の撮像データ及びこれに対応する音声データが供給されると、上述のようにデータ変調器８１により所定の変調処理を施し、記録アンプ８２を介して記録再生系８３に供給する。そして、この記録再生系８３で、前記１フィールド分の撮像データである静止画像、及び対応する音声を光磁気ディスク２０に記録する。これにより、ビデオテープ４２に記録された撮像画像の中から選択された所望の静止画像及び対応する音声を、光ディスク記録再生装置２側の光磁気ディスク２０に記録することができる。このため、この光磁気ディスク２０に記録した静止画像をパーソナルコンピュータ装置内に簡単に取り込み可能とすることができる。
【００８７】
なお、上述のようにビデオテープ４２に記録された撮像データには、該ビデオテープ４２上の記録位置を示すインデックスＩＤが付加されている。このため、システムコントローラ３５は、光磁気ディスク２０に前記静止画像を記録する際に、前記インデックスＩＤを付加して記録する。これにより、以下に説明する再生時には、上述のダブル記録モードにおける検索動作と同様に、インデックスＩＤに基づいて、ビデオテープ４２上に記録された撮影画像が検索可能となる。
【００８８】
すなわち、ユーザは、静止画像の再生を指定すると、上述のように光磁気ディスク２０に記録された静止画像が順次再生される。この際、システムコントローラ３５は、静止画像と共に光磁気ディスク２０から再生されるインデックスＩＤに基づいて、ビデオテープ４２上に記録された、前記静止画像に対応する撮影画像を検索する。そして、ユーザからこのビデオテープ４２上に記録された撮影画像の再生が指定された際に、前記検索した撮影画像の再生制御を行う。これにより、光磁気ディスク２０に記録された静止画像の元となる撮影画像を簡単に再生することができる。
【００８９】
以上の説明から明らかなように、本発明の第１の実施の形態のデジタルビデオカメラ装置は、「静止画像記録モード」において、ビデオカメラ本体１でビデオテープ４２に動画像を記録し、光ディスク記録再生装置２で光磁気ディスク２０に静止画像を記録することにより、光磁気ディスク２０の特徴を生かして該記録した静止画像のランダムアクセスを可能とすることができる。また、光磁気ディスク２０に記録した静止画像を、例えばＪＰＥＧ画像としてパーソナルコンピュータ装置に簡単に取り込み可能とすることができる。
【００９０】
また、「ダブル記録モード」においては、ビデオカメラ本体１でビデオテープ４２に記録される一纏まりの各動画像の各先頭部分を、光ディスク記録再生装置２で光磁気ディスク２０に記録することにより、光磁気ディスク２０上にビデオテープ４２に記録した動画像のインデックスを形成することができる。また、ビデオテープ４２に記録した動画像の検索の際には、この光磁気ディスク２０に記録された前記インデックス用の動画像を用い、検索された動画像の再生時には、インデックス用の動画像を再生している間に、ビデオテープ４２に記録された該対応する動画像を検索して再生することにより、ビデオテープ４２に記録された動画像の擬似的なランダムアクセスを可能とすることができる。
【００９１】
さらに、「静止画像ダビングモード」においては、ビデオテープ４２に記録された動画像のうち、所望の画像を静止画像として光磁気ディスク２０に記録することにより、ビデオテープ４２に記録した動画像の中から所望の静止画像を選択して光磁気ディスク２０に記録することができる。このため、ビデオテープ４２に記録した動画像の一部（前記所望の静止画像）をパーソナルコンピュータ装置で簡単に取り扱い可能とすることができる。
【００９２】
なお、上述の第１の実施の形態の説明では、光ディスク記録再生装置２を設け光磁気ディスク２０に対する記録及び再生を行うこととしたが、「静止画像記録モード」及び「静止画像ダビングモード」を実行する際には再生機能は不要となる。このため、当該実施の形態のデジタルビデオカメラ装置において、この２つのモードのみ実行可能とする場合は、再生機能は備えず、光磁気ディスク２０に対して記録のみを行う光ディスク記録装置を設ければよい。
【００９３】
〔第２の実施の形態〕
次に本発明に係るビデオカメラ装置を適用したデジタルビデオカメラ装置の第２の実施の形態の説明をする。上述の第１の実施の形態のデジタルビデオカメラ装置は、ビデオカメラ本体１と光ディスク記録再生装置２とを電気的及び機械的に接続することで両者を一体的に保持するものであったが、この第２の実施の形態のデジタルビデオカメラ装置は、ビデオカメラ本体１と光ディスク記録再生装置２とを電気的にのみ接続することで両者を分離的に保持可能としたものである。なお、この第１の実施の形態と第２の実施の形態とでは、この点のみ異なるため、以下この差異の説明のみ行い、同じ動作を示す箇所には同じ符号を用いる等して重複した説明は省略する。
【００９４】
（第２の実施の形態の構成）
すなわち、この第２の実施の形態のデジタルビデオカメラ装置は、図７に示すようにビデオカメラ本体１に接続端子１５を有し、また、光ディスク記録再生装置２にも同様の接続端子３０を有している。ビデオカメラ本体１の接続端子１５は、静止画像データや動画像データ及びインデックスＩＤ等のデータの入出力を行うためのデータ入出力端子１５ａと、ビデオカメラ本体１のシステムコントローラ３５及び光ディスク記録再生装置２のシステムコントローラ８０の間で行われる通信に用いられる制御データの入出力を行うための制御端子１５ｂとが一体的に構成されている。同様に、光ディスク記録再生装置２の接続端子３０も、静止画像データや動画像データ及びインデックスＩＤ等のデータの入出力を行うためのデータ入出力端子３０ａと、前記各システムコントローラ３５、８０の間で行われる通信に用いられる制御データの入出力や、図３に示したビデオカメラ本体１の電源部４３からの電源を光ディスク記録再生装置２側に供給するための制御端子３０ｂとが一体的に構成されている。
【００９５】
（第２の実施の形態の動作）
ユーザは、この各接続端子１５、３０によりビデオカメラ本体１及び光ディスク記録再生装置２の電気的な接続を図る場合、その両端部に接続ジャック４７、４８を有する接続ケーブル４６を該各接続端子１５、３０に接続する。各接続ジャック４７、４８は、各データ入出力端子１５ａ、３０ａ及び各制御端子１５ｂ、３０ｂに接続可能なデータジャック５０及び制御ジャック４９を有している。
【００９６】
図３に示すシステムコントローラ３５は、例えば接続端子１５に現れる電圧値等により接続ケーブル４６の接続の有無を検出しており、接続ケーブル４６が接続されたことを判断すると、ビデオカメラ本体１の電源部４３からの電源を光ディスク記録再生装置２側に供給すると共に、接続ケーブル４６を介して光ディスク記録再生装置２側のシステムコントローラ８０の間で通信を行い、上述の第１の実施の形態で説明した記録動作や再生動作を制御する。
【００９７】
これにより、上述の第１の実施の形態のデジタルビデオカメラ装置と同じ効果を得ることができるうえ、ビデオカメラ本体１と光ディスク記録再生装置２とを分離したかたちで保持することを可能とすることができる。従って、ユーザに対してビデオカメラ本体１及び光ディスク記録再生装置２の一体的な保持（第１の実施の形態）、及び分離的な保持（当該第２の実施の形態）の２つの保持形態を提供することができる。
【００９８】
〔第３の実施の形態〕
次に本発明に係るビデオカメラ装置を適用したデジタルビデオカメラ装置の第３の実施の形態の説明をする。なお、この第３の実施の形態のデジタルビデオカメラ装置は、以下に説明するように外観こそ違え、基本的な構成は上述各実施の形態のデジタルビデオカメラ装置と同様であるため、この第３の実施の形態の説明において、上述の各実施の形態のデジタルビデオカメラ装置と同じ動作を示す箇所には同じ符号を付し、その詳細な説明は省略することとする。
【００９９】
（第３の実施の形態の構成）
この第３の実施の形態のデジタルビデオカメラ装置は、その外観が図８に示すようにビデオカメラ本体１が横長の箱形形状となっており、ビデオカメラ本体１の側面部よりも若干小さめの液晶表示部５５と、スピーカ部５１とを有している。また、光ディスク記録再生装置２は、前記液晶表示部５５と略々同じ大きさを有しており、液晶表示部５５の反表示面側に該液晶表示部５５と機械的には勿論のこと、その内部に設けられた接続端子により電気的にも一体的に設けられている。言い換えれば、この光ディスク記録再生装置２は、液晶表示部５５と表裏一体に設けられている。
【０１００】
この図８に示す液晶表示部５５は折り畳まれた状態を示しており、使用時には回動軸５６を軸として、当該液晶表示部５５を外方向へ開くようにして回動させることで、図９に示すように内側の表示部が現れるようになっている。この液晶表示部５５は、この例においては光ディスク記録再生装置２と略々同じ大きさとなっているため、上述の各実施の形態のビデオカメラ本体１に設けられていた液晶表示部７よりも撮像画像等を大きく表示可能となっている。
【０１０１】
また、この図９において、液晶表示部５５を外方向へ開くようにして回動させることで、ビデオカメラ本体１内側のビデオカセット部６７が現れるようになっており、ユーザは、このビデオカセット部６７を開成操作して、ビデオカセットをビデオカメラ本体１に対して着脱するようになっている。
【０１０２】
スピーカ部５１は、選択スイッチ８や撮像指示スイッチ９等が設けられている本体操作パネル５７の上部側に設けられている。このスピーカ部５１の側方には、スピーカ部５１をオンオフ操作するためのスピーカオンオフスイッチ５３が設けられており、ユーザは、このスピーカ部５１を使用する際にこのスピーカオンオフスイッチ５３をオン操作するようになっている。
【０１０３】
（第３の実施の形態の動作）
上述の各実施の形態で説明したように、光磁気ディスク２０には、所望の動画（先頭部分のみ）、或いは所望の静止画像と共に、撮像時における例えば１０秒程度の音声情報が記録されるようになっているのであるが、上述の各実施の形態のデジタルビデオカメラ装置では、スピーカ部が設けられていないため、前記ビデオ出力端子８９を介して外部のスピーカ装置にこの音声情報を供給しない限り音響出力を得ることはできない。これに対して、当該第３の実施の形態のデジタルビデオカメラ装置には、前記スピーカ部５１が設けられているため、外部のスピーカ装置に接続を図ることなく、光磁気ディスク２０に記録された音声情報に応じた音響出力を得ることができるようになっている。
【０１０４】
すなわち、ユーザは、図８に示すスピーカオンオフスイッチ５３をオン操作すると共に、ビデオカメラ本体１を再生状態、或いは光ディスク記録再生装置２を再生状態とすると、図３に示すシステムコントローラ３５は、スピーカオンオフスイッチ５３がオン操作されたことを検出すると、上述の各実施の形態と同様に液晶表示部５５にビデオテープ４２に記録された動画像、或いは光磁気ディスク２０に記録された静止画像（或いは動画像：前記先頭部分）を表示制御すると共に、ビデオテープ４２に記録された音声情報、或いは光磁気ディスク２０に静止画像と共に記録された音声情報を取り込み、これをビデオ／オーディオ信号処理部４０に供給する。
【０１０５】
ビデオ／オーディオ信号処理部４０は、前記音声情報に対して記録時に施された圧縮符号化処理及び変調処理に対応する伸張復号化処理及び復調処理を施し、これを図３中点線で示すスピーカ部５１に供給する。これにより、スピーカ部５１を介して、ビデオテープ４２に記録された動画像に対応する音響出力、或いは光磁気ディスク２０に記録された静止画像に対応する音響出力を得ることができる。従って、当該第３の実施の形態のデジタルビデオカメラ装置のみで撮像した映像及び音声を視聴することができる。
【０１０６】
最後に、上述の各実施の形態の説明は、本発明の一例である。このため、本発明は、各実施の形態に限定されることはなく、本発明に係る技術的思想を逸脱しない範囲であれば、設計等に応じて種々の変更が可能であることは勿論である。
【０１０７】
【発明の効果】
本発明に係るビデオカメラ装置によると、当該ビデオカメラ装置をスチルカメラ装置と兼用可能とすることができ、ユーザの経済的負担、及び旅行等に形態する際の荷物の量を減らすことができると共に、「動画像記録モード」と、「静止画像記録モード」と、「ダブル記録モード」と、「静止画像ダビングモード」とを有した選択スイッチを備えているので使用勝手が良いビデオカメラ装置を提供できる。
この際、本発明に係るビデオカメラ装置を用いて、「動画像記録モード」を選択した時には、第１の記録媒体に動画像情報を長時間に亘って記録することができる。また、「静止画像記録モード」を選択した時には、第２の記録媒体の特徴を生かして記録した静止画像情報に対してランダムアクセスが可能となる。また、「ダブル記録モード」を選択した時には、第１の記録媒体に記録される一纏まりの各動画像情報の各先頭部分を第２の記録媒体に記録することにより、第２の記録媒体上の一纏まりの各動画像情報を第１の記録媒体に記録した動画像情報のインデックスとすることができる。更に、「静止画像ダビングモード」を選択した時には、第１の記録媒体に記録した動画像情報を再生し、且つ、再生した動画像情報中から所望の画像を指定してこの所望の画像を静止画像情報として第２の記録媒体に記録することにより、第２の記録媒体上の静止画像情報を第１の記録媒体に記録した動画像情報のインデックスとすることができる。
【図面の簡単な説明】
【図１】本発明に係るビデオカメラ装置を適用した第１の実施の形態となるデジタルビデオカメラ装置の分解斜視図である。
【図２】前記第１の実施の形態のデジタルビデオカメラ装置を構成するビデオカメラ本体及び光ディスク記録再生装置を電気的及び機械的に接続した様子を示す斜視図である。
【図３】前記第１の実施の形態のデジタルビデオカメラ装置の全体的なブロック図である。
【図４】前記第１の実施の形態のデジタルビデオカメラ装置の記録系のブロック図である。
【図５】前記第１の実施の形態のデジタルビデオカメラ装置に設けられているダブル記録モード時に、光ディスク記録再生装置で光磁気ディスクに記録される動画像の記録形態を概念的に説明するための図である。
【図６】前記第１の実施の形態のデジタルビデオカメラ装置の再生系のブロック図である。
【図７】本発明に係るビデオカメラ装置を適用した第２の実施の形態となるデジタルビデオカメラ装置のビデオカメラ本体及び光ディスク記録再生装置を接続ケーブルで接続した様子を示す斜視図である。
【図８】本発明に係るビデオカメラ装置を適用した第３の実施の形態となるデジタルビデオカメラ装置の斜視図である。
【図９】前記第３の実施の形態のデジタルビデオカメラ装置のビデオテープ着脱機構及び液晶表示部を説明するための図である。
【符号の説明】
１…ビデオカメラ本体、２…光ディスク記録再生装置、３…電子ビューファインダ、４…本体操作パネル、５…光学レンズ、６、５２…マイクロホン、７、５５…液晶表示部、８…選択スイッチ、９…撮像指示スイッチ、１０…ズーム操作部、１５、３０…接続端子、１８、２３…接続端子、１９…接続孔、２０…光磁気ディスク、２５…クランプネジ、２６…操作パネル、２８…操作スイッチ、２９…音声レベル調整スイッチ、３５、８０…システムコントローラ、３６…撮像部、３７…記録再生系、４０…ビデオ／オーディオ信号処理、４１…回転ヘッド、４２…ビデオテープ、４６…接続ケーブル、４７、４８…接続ジャック、５１…スピーカ部、５３…スピーカオンオフスイッチ、８４…スピンドルモータ、８５…光学ヘッド、８６…磁気ヘッド
【図１】
0003959842.tif 000002
【図２】
0003959842.tif 000003
【図３】
0003959842.tif 000004
【図４】
0003959842.tif 000005
【図５】
0003959842.tif 000006
【図６】
0003959842.tif 000007
【図７】
0003959842.tif 000008
【図８】
0003959842.tif 000009
【図９】
0003959842.tif 000010